(57)【要約】【課題】  着用した人の脇や胸の谷間に強く圧接して痛みを与えたり、肌に損傷を与えることがなく、着用感が良いブラジャーを提供する。【解決手段】  着用時に乳房の形を補整する円弧状ワイヤー１を有するブラジャーであって、円弧状ワイヤー１を収納するワイヤー収納袋帯部６を有する。ワイヤー収納袋帯部６の長手方向の外端７を側縁テープ８の外面側に積層させる。側縁テープ８の内端縁部10と縫製Ｓして、ワイヤー収納袋帯部６の外端７を閉鎖状態として、円弧状ワイヤー１が側縁テープ８と重なるのを防止する。【選択図】  図２
2005076138.tif 000002
【特許請求の範囲】
【請求項１】
着用時に乳房の形を補整する円弧状ワイヤー（１）を有するブラジャーであって、該円弧状ワイヤー（１）を収納するワイヤー収納袋帯部（６）を有し、該ワイヤー収納袋帯部（６）の長手方向の外端（７）を側縁テープ（８）の外面（９）側に積層させて、該側縁テープ（８）の内端縁部（10）と縫製（Ｓ）して、上記ワイヤー収納袋帯部（６）の上記外端（７）を閉鎖状態とし、上記円弧状ワイヤー（１）が側縁テープ（８）と重なるのを防止したことを特徴とするブラジャー。
【請求項２】
円弧状ワイヤー（１）の内端（13）寄りが、着用時に身体から離間する方向（Ｅ）に弾発付勢するように、自由状態で上記離間する方向（Ｅ）へ弯曲している請求項１記載のブラジャー。
【請求項３】
カップ台（２）がスレキから成る請求項１又は２記載のブラジャー。
【請求項４】
カップ部（３）が、連結テープ（４）を介して相互に縫製により連結される複数の布体（５）を有し、上記連結テープ（４）が綿 100％素材から成る請求項１，２又は３記載のブラジャー。
【発明の詳細な説明】
【技術分野】
【０００１】
本発明は、ブラジャーに関する。
【背景技術】
【０００２】
従来のブラジャーとして、乳房の形を補整するために、乳房の下部に対応する部分に上弦状略半円弧形ワイヤーを有するものが公知である。
【０００３】
しかし、従来のワイヤー付きブラジャー（例えば、特許文献１参照）は、ワイヤーが、ワイヤー収納袋帯部内を移動して側縁テープに乗り上げ自在であって、ブラジャーを着用した人の動きによって、ワイヤーが側縁テープに乗上げ、脇に強く圧接して、着用した人に痛みを与えたり、肌に損傷を与える虞れがあった。また、ワイヤーは２次元に弯曲した形状───略同一平面内にある───なので、胸の谷間に強く圧接して、着用した人に痛みを与えたり、肌に損傷を与える虞れがあった。また、カップ台やカップ部が、ポリエステル、ナイロン等から成り、肌触りが悪かった。
【特許文献１】特開２００２−２２０７０６
【発明の開示】
【発明が解決しようとする課題】
【０００４】
解決しようとする問題点は、ワイヤーが、着用した人の脇や胸の谷間に強く圧接して、痛みを与えたり、肌に損傷を与える点である。また、肌触り・着用感が悪い点である。
【課題を解決するための手段】
【０００５】
本発明は、着用時に乳房の形を補整する円弧状ワイヤーを有するブラジャーであって、該円弧状ワイヤーを収納するワイヤー収納袋帯部を有し、該ワイヤー収納袋帯部の長手方向の外端を側縁テープの外面側に積層させて、該側縁テープの内端縁部と縫製して、上記ワイヤー収納袋帯部の上記外端を閉鎖状態とし、上記円弧状ワイヤーが側縁テープと重なるのを防止したものである。
【０００６】
また、円弧状ワイヤーの内端寄りが、着用時に身体から離間する方向に弾発付勢するように、自由状態で上記離間する方向へ弯曲しているものである。また、カップ台がスレキから成るものである。また、カップ部が、連結テープを介して相互に縫製により連結される複数の布体を有し、上記連結テープが綿 100％素材から成るものである。
【発明の効果】
【０００７】
本発明のブラジャーは、ワイヤーが、着用した人の脇や胸の谷間に強く圧接して痛みを与えたり、肌に損傷を与えることがなく、着用感が良いという利点がある。
【発明を実施するための最良の形態】
【０００８】
図１・図２は、本発明の実施の一形態を示し、内側（内面）から見た正面図である。このブラジャーは、着用時に乳房（図示省略）の形を補整する円弧状ワイヤー１を有する。円弧状ワイヤー１は、例えば、樹脂、金属等から成る。カップ台２はスレキから成る。また、カップ部３は、連結テープ４を介して相互に縫製（図示省略）により連結される複数の布体５を有し、連結テープ４が綿 100％素材（例えば、スレキ又は綿天竺）から成る。
【０００９】
図２〜図４に示すように、ブラジャーは、円弧状ワイヤー１を収納する円弧状のワイヤー収納袋帯部６を有する。ワイヤー収納袋帯部６の長手方向の外端７は側縁テープ８の外面９側に積層され、かつ、側縁テープ８の内端縁部10と縫製Ｓされている。すなわち、ワイヤー収納袋帯部６の外端７は閉鎖状態とされ、円弧状ワイヤー１の外端11が側縁テープ８と重なる（側縁テープ８に乗上がる）ことが防止されている。12は装飾レースを示す。また、脇の（フィルムボーンを入れる）テープ17も綿 100％素材とするのが好ましい。
【００１０】
図５・図６に示す自由状態に於て、円弧状ワイヤー１の内端13寄りは、着用時に身体（図示省略）から離間する方向Ｅに弾発付勢するように、自由状態で離間する方向Ｅへ弯曲している。すなわち、円弧状ワイヤー１は、自由状態に於て３次元に弯曲した形状とされる。弯曲部１ａの正面視長さＬは、20mm≦Ｌ≦80mmに設定される。特に望ましくは、42≦Ｌ≦68mmに設定する。長さＬが上記範囲以外の場合は、胸の谷間に強く圧接して、痛みを与える虞れがある。なお、14は左胸側の左ワイヤーを示し、15は右胸側の右ワイヤーを示す。
【００１１】
そして、図５のＣ−Ｃ拡大断面を示す図７で明らかなように、ワイヤー１は、丸みのある平角線状乃至帯板状又は楕円形であって、着用時に乳房を受ける面に沿って、横断面の長辺（長軸Ｊ）が対応して、傾斜させている。しかも、この図７でも分かるように、ワイヤー１は、金属芯線18と、プラスチック被覆層19とから、成っている。
【００１２】
本発明によれば、着用時に乳房の形を補整する円弧状ワイヤー１を有するブラジャーであって、円弧状ワイヤー１を収納するワイヤー収納袋帯部６を有し、ワイヤー収納袋帯部６の長手方向の外端７を側縁テープ８の外面９側に積層させて、側縁テープ８の内端縁部10と縫製Ｓして、ワイヤー収納袋帯部６の外端７を閉鎖状態とし、円弧状ワイヤー１が側縁テープ８と重なるのを防止したので、着用した人の脇に強く圧接して痛みを与えたり、肌に損傷を与えることがなく、着用感が良い。なお、図１に於て、アンダーライン（下辺テープ）20を直線状に描いたが、これを緩やかに上方凸状に弯曲させるのが好ましい。
【００１３】
また、円弧状ワイヤー１の内端13寄りが、着用時に身体から離間する方向Ｅに弾発付勢するように、自由状態で離間する方向Ｅへ弯曲しているので、着用した人の胸の谷間に強く圧接して痛みを与えたり、肌に損傷を与えることがなく、着用感が良い。
【００１４】
また、カップ台２がスレキから成るので、肌触りが良く、着用感が良い。
【００１５】
また、カップ部３が、連結テープ４を介して相互に縫製により連結される複数の布体５を有し、連結テープ４が綿 100％素材から成るので、肌触りが良く、柔らかくフィットするので着用感が良い。
【図面の簡単な説明】
【００１６】
【図１】本発明の実施の一形態を示す正面図である。
【図２】要部拡大正面図である。
【図３】図２のＡ−Ａ拡大断面図である。
【図４】図３のＢ−Ｂ断面図である。
【図５】円弧状ワイヤーを示す説明用正面図である。
【図６】円弧状ワイヤーを示す説明用平面図である。
【図７】図５のＣ−Ｃ拡大断面図である。
【符号の説明】
【００１７】
１  円弧状ワイヤー
２  カップ台
３  カップ部
４  連結テープ
５  布体
６  ワイヤー収納袋帯部
７  外端
８  側縁テープ
９  外面
10  内端縁部
13  内端
Ｅ  方向
Ｓ  縫製
【図１】
2005076138.tif 000003
【図２】
2005076138.tif 000004
【図３】
2005076138.tif 000005
【図４】
2005076138.tif 000006
【図５】
2005076138.tif 000007
【図６】
2005076138.tif 000008
【図７】
2005076138.tif 000009